(57)【特許請求の範囲】
【請求項１】
床土材タンクから繰出し回転体によって床土材を繰出す床土材供給装置と、前記床土材供給装置によって育苗箱に床土材が供給されるように、前記床土材供給装置に育苗箱を供給するコンベヤとを備えた播種プラントであって、
前記床土材タンクに貯留された床土材に作用する攪拌回転体、及び前記床土材供給装置によって床土材が供給された育苗箱の床土材に作用する均平回転体を設け、前記床土材供給装置よりも育苗箱搬送方向下手側に灌水装置を設けて、
前記コンベヤを、前記床土材供給装置に育苗箱を供給し前記床土材供給装置によって床土材が供給された育苗箱を前記灌水装置に供給するように構成し、前記コンベヤの駆動軸を前記灌水装置よりも育苗箱搬送方向下手側に配置して、モータを前記床土材供給装置よりも育苗箱搬送方向上手側に配置し、
前記コンベヤの左右のメインフレームの横外側に沿って設けられた伝動機構により、前記モータの駆動力を前記駆動軸に伝達するように構成して、
前記伝動機構における前記灌水装置よりも育苗箱搬送方向上手側で且つ前記モータよりも育苗箱搬送方向下手側の部分に中継伝動軸を設けるとともに、前記繰出し回転体を駆動するよう前記床土材供給装置に設けられた繰出し駆動軸に前記中継伝動軸から動力伝達する伝動体、前記繰出し駆動軸から前記攪拌回転体に動力伝達する攪拌伝動体、前記繰出し駆動軸から前記均平回転体に動力伝達する均平伝動体を設けてある播種プラント。
【請求項２】
前記繰出し回転体を無端回動ベルトによって構成し、
前記攪拌伝動体が連動する前記攪拌回転体とは別の従動側の攪拌回転体を、前記攪拌伝動体が連動する前記攪拌回転体と前記無端回動ベルトの移動方向に並べて設け、
前記攪拌伝動体が連動する前記攪拌回転体に前記従動側の攪拌回転体を連動させるように、前記攪拌伝動体が連動する前記攪拌回転体と前記従動側の攪拌回転体とに装着される連動連結体を設けてある請求項１記載の播種プラント。
【請求項３】
前記無端回動ベルトの繰出し作用面に滑り止め突部を設けてある請求項２記載の播種プラント。
【請求項４】
前記伝動体を巻き掛け伝動体によって構成するとともに、前記巻き掛け伝動体の伝動方向上手側が巻回する上手側輪体を、育苗箱搬送方向に直交する方向の軸芯まわりに回転自在な状態で前記メインフレーム側に支持させ、前記巻き掛け伝動体の伝動方向下手側が巻回する下手側輪体を、育苗箱搬送方向に直交する方向の軸芯まわりに回転自在な状態で前記床土材供給装置の機体側に支持させ、
前記床土材供給装置の機体を前記メインフレームに対して育苗箱搬送方向に位置変更自在に連結する連結変更機構を設けてある請求項１〜３のいずれか一項に記載の播種プラント。
【請求項５】
前記均平回転体を前記床土材供給装置の機体から延出する支持アームに支持させてある請求項４記載の播種プラント。
【発明の詳細な説明】
【技術分野】
【０００１】
本発明は、床土材タンクから繰出し回転体によって床土材を繰出す床土材供給装置と、前記床土材供給装置によって育苗箱に床土材が供給されるように、前記床土材供給装置に育苗箱を供給するコンベヤとを備えた播種プラントに関する。
【背景技術】
【０００２】
上記した播種プラントとしては、従来、たとえば特許文献１に記載されたものがあった。特許文献１に記載されたものは、床土材供給装置に相当する床土供給装置、コンベヤに相当する第３コンベヤを備えている。特許文献１に記載された播種プラントでは、床土供給装置のホッパーに貯留された床土に作用する攪拌スクリュー、床土供給装置からの育苗箱に作用する回転ブラシが備えられた均平処理部を備えている。
【先行技術文献】
【特許文献】
【０００３】
【特許文献１】特開平１０−２７６５８９号公報（段落〔００２１〕，〔００２２〕、図８）
【発明の概要】
【発明が解決しようとする課題】
【０００４】
攪拌回転体及び均平回転体を設けた播種プラントにおいて、攪拌回転体及び均平回転体の駆動を可能にするのに、攪拌回転体及び均平回転体それぞれに連動する専用のモータを設けた場合、これらのモータをコンベヤ駆動のためのモータに加えて設けることになり、モータの必要数が多くなる。さらに、繰出し回転体を駆動するモータも別に設けることになると、モータの必要数がさらに多くなる。
【０００５】
本発明の目的は、攪拌回転体及び均平回転体を設けるものでありながら、攪拌回転体、均平回転体、繰出し回転体およびコンベヤを数少ないモータでかつ構造簡単に駆動することができる播種プラントを提供することにある。
【課題を解決するための手段】
【０００６】
本第１発明は、床土材タンクから繰出し回転体によって床土材を繰出す床土材供給装置と、前記床土材供給装置によって育苗箱に床土材が供給されるように、前記床土材供給装置に育苗箱を供給するコンベヤとを備えた播種プラントにおいて、
前記床土材タンクに貯留された床土材に作用する攪拌回転体、及び前記床土材供給装置によって床土材が供給された育苗箱の床土材に作用する均平回転体を設け、前記床土材供給装置よりも育苗箱搬送方向下手側に灌水装置を設けて、
前記コンベヤを、前記床土材供給装置に育苗箱を供給し前記床土材供給装置によって床土材が供給された育苗箱を前記灌水装置に供給するように構成し、前記コンベヤの駆動軸を前記灌水装置よりも育苗箱搬送方向下手側に配置して、モータを前記床土材供給装置よりも育苗箱搬送方向上手側に配置し、
前記コンベヤの左右のメインフレームの横外側に沿って設けられた伝動機構により、前記モータの駆動力を前記駆動軸に伝達するように構成して、
前記伝動機構における前記灌水装置よりも育苗箱搬送方向上手側で且つ前記モータよりも育苗箱搬送方向下手側の部分に中継伝動軸を設けるとともに、前記繰出し回転体を駆動するよう前記床土材供給装置に設けられた繰出し駆動軸に前記中継伝動軸から動力伝達する伝動体、前記繰出し駆動軸から前記攪拌回転体に動力伝達する攪拌伝動体、前記繰出し駆動軸から前記均平回転体に動力伝達する均平伝動体を設けてある。
【０００７】
本第１発明の構成によると、モータの駆動力が伝動機構によってコンベヤに伝達され、伝動機構によって伝達されるモータからの駆動力が中継伝動軸及び伝動体を介して繰出し駆動軸に伝達され、この繰出し駆動軸から攪拌伝動体を介して攪拌回転体に伝達され、さらに繰出し駆動軸から均平伝動体を介して均平回転体に伝達されるから、伝動機構に入力するモータを設けるだけでコンベヤ、繰出し回転体、攪拌回転体及び均平回転体を駆動することができる。
【０００８】
また、本第１発明の構成によると、コンベヤ、繰出し回転体、攪拌回転体及び均平回転体を伝動機構に入力するモータによって駆動するものでありながら、伝動機構を簡素なものにできる。
つまり、繰出し駆動軸、攪拌回転体及び均平回転体に各別に伝動する複数の中継伝動軸を伝動機構に設けることによっても、また、伝動機構に設けた一つの中継伝動軸から繰出し駆動軸、攪拌回転体及び均平回転体に各別に伝動する複数の出力伝動体を設けることによっても、伝動機構に入力するモータを設けるだけでコンベヤ、繰出し回転体、攪拌回転体及び均平回転体を駆動することができる。ところが、複数の中継伝動軸を採用した場合、伝動機構に設ける中継伝動軸の数が多くなるのみならず、中継伝動軸に入力するべく伝動機構に設ける伝動体の数も多くなり、伝動機構の構造が複雑になる。複数の出力伝動体を採用した場合、一つの中継伝動軸に入力用の伝動体を連結する他に複数の出力伝動体を連結する必要があることにより、中継伝動軸の長さが大になって伝動機構の中継伝動軸の長さ方向での大きさが大になる。これに対し、本第１発明の構成によると、中継伝動軸から繰出し駆動軸に伝動し、繰出し駆動軸から攪拌回転体及び均平回転体に伝動するものだから、繰出し回転体、攪拌回転体及び均平回転体に伝動するべく伝動機構に設ける中継伝動軸としては、伝動体が連結する中継伝動軸だけで済ませることができ、かつ、繰出し回転体、攪拌回転体及び均平回転体に各別に伝動する複数の伝動体を中継伝動軸に連結する必要がなく、中継伝動軸としては、繰出し駆動軸に連動する伝動体を連結できればよい短尺なもので済ませることができる。
【０００９】
従って、床土材タンクに床土材のブリッジ状態の詰まりが発生することを攪拌回転体による床土材の攪拌によって回避しやすくて床土材の繰出し供給をスムーズに行なわせることができ、育苗箱に供給された床土材を均平回転体によって均平にして仕上がりのよい床土部を育苗箱に形成することができるものでありながら、コンベヤ、繰出し回転体、攪拌回転体及び均平回転体を伝動機構に入力するモータだけで、かつ伝動機構に数少ないとともに短尺な中継伝動軸を設けるだけの簡単な構造で駆動することができて安価に得ることができる。
本第１発明の構成によると、モータを灌水装置から離れて位置するとか床土材供給装置によってカバーされる状態にして灌水装置によって散布される灌漑水でモータが濡れることを回避しやすくしながら、かつコンベヤがベルトコンベヤの場合でも、コンベヤベルトの往路側が引っ張り側になる状態でコンベヤを駆動しながら、数少ないとともに短尺な中継伝動軸を採用した状態でコンベヤから繰出し回転体、攪拌回転体及び均平回転体に伝動することができる。
従って、伝動機構に入力するモータだけで、かつ構造簡単な伝動機構でコンベヤ、繰出し回転体、攪拌回転体及び均平回転体を駆動することができる播種プラントを、モータの水濡れによる故障を回避しやすい状態で、かつコンベヤがベルトコンベヤの場合でも、コンベヤベルトの往路側が引っ張り側になる状態で駆動されるコンベヤによって育苗箱をスムーズに搬送させて床土材供給装置及び灌水装置による床土材や灌漑水の供給を的確に行なわせられる状態で得ることができる。
【００１０】
本第２発明では、前記繰出し回転体を無端回動ベルトによって構成し、前記攪拌伝動体が連動する前記攪拌回転体とは別の従動側の攪拌回転体を、前記攪拌伝動体が連動する前記攪拌回転体と前記無端回動ベルトの移動方向に並べて設け、前記攪拌伝動体が連動する前記攪拌回転体に前記従動側の攪拌回転体を連動させるように、前記攪拌伝動体が連動する前記攪拌回転体と前記従動側の攪拌回転体とに装着される連動連結体を設けてある。
【００１１】
本第２発明の構成によると、床土材タンクにおける吐出口が無端回動ベルトの往路側に対してベルト移動方向での広い範囲にわたって臨むように吐出口の大きさを比較的大にし、籾殻くん炭の如き軽量の床土材であっても、無端回動ベルトが床土材の受け止めを往路側の広い搬送面で行って床土材をスムーズに繰り出すようにできる。
床土材タンクの吐出口を大きくし、単一の攪拌回転体によって吐出口の近くで広範囲にわたって攪拌作用させようとした場合、攪拌回転体の直径を大にする必要が生じて攪拌回転体が床土材タンク内の高い箇所まで存在する状態になり、床土材タンクに床土材を投入する際、攪拌回転体が障害物になるなどの問題が発生しやすくなる。
これに対し、本第２発明の構成によると、攪拌伝動体が連動する攪拌回転体とは別の従動側の攪拌回転体を、攪拌伝動体が連動する攪拌回転体と無端回動ベルトの移動方向に並べて設け、攪拌伝動体が連動する攪拌回転体に従動側の攪拌回転体を連動させるように、攪拌伝動体が連動する攪拌回転体と従動側の攪拌回転体とに装着される連動連結体を設けてあるから、各攪拌回転体の直径を比較的小にして、攪拌回転体が床土材タンク内の比較的低い箇所に存在する状態で攪拌回転体が吐出口の近くで広範囲にわたって攪拌作用するようにでき、かつ、中継伝動軸から伝動体を介して繰出し駆動軸に伝達されて駆動力が攪拌伝動体及び連動連結体を介して従動側の攪拌回転体に連動されるのであり、伝動機構に入力するモータを設けるだけで従動側の攪拌回転体を駆動することができる。
【００１２】
従って、コンベヤ、繰出し回転体、攪拌回転体及び均平回転体を伝動機構に入力するモータだけで、かつ伝動機構に数少ないとともに短尺な中継伝動軸を設けるだけの簡単な構造で駆動することができるものでありながら、籾殻くん炭の如き軽量の床土材であっても、床土材タンクにおける詰まりを防止しながら床土材タンクからスムーズに繰り出させて育苗箱に円滑にかつ能率よく供給させることができる。
【００１３】
本第３発明では、前記無端回動ベルトの繰出し作用面に滑り止め突部を設けてある。
【００１４】
本第３発明の構成によると、床土材と無端回動ベルトの間におけるスリップの発生を滑り止め突部によって防止して、無端回動ベルトによる床土材の繰り出しを円滑にかつ的確に行なわせることができる。
【００１５】
従って、籾殻くん炭の如き軽量の床土材の場合でも、床土材タンクからの繰り出しを円滑かつ的確に行なわせて育苗箱に円滑にかつ能率よく供給させることができる。
【００１６】
【００１７】
【００１８】
【００１９】
本第４発明では、前記伝動体を巻き掛け伝動体によって構成するとともに、前記巻き掛け伝動体の伝動方向上手側が巻回する上手側輪体を、育苗箱搬送方向に直交する方向の軸芯まわりに回転自在な状態で前記メインフレーム側に支持させ、前記巻き掛け伝動体の伝動方向下手側が巻回する下手側輪体を、育苗箱搬送方向に直交する方向の軸芯まわりに回転自在な状態で前記床土材供給装置の機体側に支持させ、前記床土材供給装置の機体を前記メインフレームに対して育苗箱搬送方向に位置変更自在に連結する連結変更機構を設けてある。
【００２０】
本第４発明の構成によると、連結変更機構によって床土材供給装置の機体のメインフレームに対する位置変更調節を行なえば、巻き掛け伝動体の伝動方向下手側が巻回する下手側輪体が床土材供給装置の機体と共に移動して巻き掛け伝動体の伝動方向上手側が巻回する上手側輪体に対して移動し、巻き掛け伝動体に張力変化が発生する。このとき、繰出し駆動軸、繰出し回転体、攪拌伝動体及び攪拌回転体が床土材供給装置の機体と共に移動し、繰出し回転体、攪拌伝動体及び攪拌回転体に張力変化など駆動や伝動の支障が発生しない。
【００２１】
従って、連結変更機構による床土材供給装置の機体の位置変更調節を行なえば、巻き掛け伝動体の張力調整にかかわらず繰出し回転体及び攪拌回転体が正常な駆動状態に維持されるように繰出し回転体、攪拌伝動体及び攪拌回転体を調整する手間を掛けずに巻き掛け伝動体の張力調整を行なうことができ、中継伝動軸から繰出し回転体及び攪拌回転体に伝動するものでありながら、巻き掛け伝動体に張力変化が発生しても、連結変更機構による巻き掛け伝動体の張力調整を行なうだけで操作簡単に繰出し回転体及び攪拌回転体が正常に駆動される状態を得ることができる。
【００２２】
本第５発明では、前記均平回転体を前記床土材供給装置の機体から延出する支持アームに支持させてある。
【００２３】
本第５発明の構成によると、連結変更機構による巻き掛け伝動体の張力調節を行なっても、繰出し駆動軸、繰出し回転体、攪拌伝動体及び攪拌回転体が床土材供給装置の機体と共に移動して、繰出し回転体、攪拌伝動体及び攪拌回転体に駆動や伝動の支障が発生しない他、均平回転体及び均平伝動体が床土材供給装置の機体と共に移動して、均平回転体及び均平伝動体に駆動や伝動の支障が発生しない。
【００２４】
従って、連結変更機構による床土材供給装置の機体の位置変更調節を行なえば、巻き掛け伝動体の張力調整にかかわらず繰出し回転体、攪拌回転体及び均平回転体が正常な駆動状態に維持されるように繰出し回転体、攪拌伝動体、攪拌回転体、均平伝動体及び均平回転体を調整する手間を掛けずに巻き掛け伝動体の張力調整を行なうことができ、中継伝動軸から繰出し回転体及び攪拌回転体に伝動するものでありながら、巻き掛け伝動体に張力変化が発生しても、連結変更機構による巻き掛け伝動体の張力調整を行なうだけで操作簡単に繰出し回転体、攪拌回転体及び均平回転体が正常に駆動される状態を得ることができる。
【図面の簡単な説明】
【００２５】
【図１】播種プラントの全体を示す正面図である。
【図２】播種プラントの全体を示す平面図である。
【図３】コンベヤ装置の姿勢決めガイド板及第１供給ガイド板が設けられた部位を示す平面図である。
【図４】（ａ）は、第１の育苗箱コンベヤの下降使用状態を示す正面図、（ｂ）は、第１の育苗箱コンベヤの上昇折り畳み状態を示す正面図である。
【図５】支持手段を示す縦断側面図である。
【図６】支持手段を示す縦断正面図である。
【図７】支持手段の円筒体と位置決め円筒体を付け替えた状態を示す縦断側面図である。
【図８】床土材供給装置を示す縦断正面図である。
【図９】床土材供給装置を示す縦断側面図である。
【図１０】ブラシ高さ調節機構を示す側面図である。
【図１１】ブラシ高さ調節機構を示す平面図である。
【図１２】調節軸の支持構造を示す正面図である。
【図１３】均平ブラシの支持構造を示す正面図である。
【図１４】伝動機構の正面視での構造を示す線図である。
【図１５】伝動機構を示す平面図である。
【図１６】モータが配設された部位を示す側面図である。
【図１７】供給駆動機構を示す正面図である。
【図１８】連結変更機構を示す斜視図である。
【図１９】モータ台連結変更機構を示す斜視図である。
【発明を実施するための形態】
【００２６】
以下、本発明の実施の形態を図面に基づいて説明する。
【００２７】
図１は、本発明の実施例に係る播種プラントの全体を示す正面図である。図２は、本発明の実施例に係る播種プラントの全体を示す平面図である。これらの図に示すように、本発明の実施例に係る播種プラントは、搬送始端部が第１の育苗箱コンベヤ１０によって構成され、かつ搬送終端側に育苗箱台１が連結されたコンベヤ装置Ｃと、このコンベヤ装置Ｃによる育苗箱搬送方向に並べてコンベヤ装置Ｃに設けられた床土材供給装置４０、灌水装置５０、播種装置６０及び覆土材供給装置７０とを備えて構成してある。
【００２８】
この播種プラントは、コンベヤ装置Ｃの搬送始端部に育苗箱２が載置されると、この育苗箱２をコンベヤ装置Ｃによって床土材供給装置４０、灌水装置５０、播種装置６０及び覆土材供給装置７０にその順序で供給し、育苗箱２に床土材としての籾殻くん炭（稲の籾殻がいぶし処理されて炭状になったもの）を供給して床土部を形成し、形成した床土部に灌漑水を供給するとともに灌漑水を供給した後の床土部の上に水稲の種籾をばら撒き状態で供給し、種籾を供給した後の床土部の上に覆土材としての籾殻くん炭を供給して覆土部を形成する播種処理を行ない、播種処理を終えた育苗箱２を育苗箱台１に載置する作業を行うものである。
【００２９】
コンベヤ装置Ｃについて説明する。
【００３０】
コンベヤ装置Ｃは、コンベヤ装置Ｃの搬送始端部を構成する第１の育苗箱コンベヤ１０と、第１の育苗箱コンベヤ１０の搬送終端側に連なる第２の育苗箱コンベヤ２０と、第２の育苗箱コンベヤ２０の搬送終端側に連なる第３の育苗箱コンベヤ３０とを備えて構成してある。
【００３１】
コンベヤ装置Ｃによる育苗箱２の搬送距離の長さを次の如く設定してある。
育苗箱２の長辺と短辺のうちの短辺が育苗箱搬送方向に沿う状態にしてコンベヤ装置Ｃに載置された育苗箱２のコンベヤ装置Ｃに対する姿勢を、コンベヤ装置Ｃにおける育苗箱２の搬送姿勢として設定する。床土材供給装置４０から灌水装置５０に搬送される育苗箱２に床土部のずれや供給不良などの問題があることを発見した場合、床土材供給装置４０が備える均平ブラシ４１と灌水装置５０の機体５１との間隔Ｄ１から育苗箱２を取り出すことを可能にする。灌水装置５０から播種装置６０に搬送される育苗箱２に床土部のずれなどの問題があることを発見した場合、灌水装置５０の機体５１と播種装置６０の種子タンク６１の間隔Ｄ２から育苗箱２を取り出すことを可能し、かつ、播種装置６０によって種籾が供給される際、灌水装置５０によって供給された灌漑水が床土部内に既にしみ込んでいて、床土部の上面に灌漑水が浮いていない状態で供給されるように水浸透時間を掛けて灌水装置５０から播種装置６０に育苗箱２を搬送されるようにする。播種装置６０と覆土材供給装置７０の間に薬剤供給装置（図示せず）を要望によって追加して設ける場合があり、播種装置６０の種子タンク６１と覆土材供給装置７０の覆土材タンク７１との間隔Ｄ３を、薬剤供給装置の設置が可能な大きさの間隔にしておく。
つまり、育苗箱２の短辺側での長さ、育苗箱２の取り出し、床土部における灌漑水の浸透、及び薬剤供給装置の追加設置を考慮した搬送距離を備えさせてコンベヤ装置Ｃを構成してある。
【００３２】
図１，２に示すように、第１の育苗箱コンベヤ１０は、第２の育苗箱コンベヤ２０のコンベヤフレーム２１の育苗箱搬送方向上手側の端部に育苗箱搬送方向下手側の端部が連結されたコンベヤフレーム１１と、このコンベヤフレーム１１に育苗箱搬送方向と直交する方向に所定間隔を隔てて並べて駆動回動自在に支持された左右一対の無端コンベヤベルト１２，１２とを備えて構成してある。
【００３３】
第１の育苗箱コンベヤ１０のコンベヤフレーム１１は、第１の育苗箱コンベヤ１０の育苗箱搬送方向と直交する方向での左側と右側の端部に振り分けて設けた左右一対のメインフレーム１１ａ，１１ａを備えて構成してある。第１の育苗箱コンベヤ１０の左右一対の無端コンベヤベルト１２，１２は、左右一対のメインフレーム１１ａ，１１ａの搬送始端側の端部に回転自在に支持された始端側支軸１３に一体回転自在に設けた始端側プーリ１４と、第２の育苗コンベヤ２０のコンベヤフレーム２１の搬送始端側の端部に回転自在に支持された始端側支軸２２に一体回転自在に設けた終端側プーリ１５とに巻回されている。
【００３４】
したがって、第１の育苗箱コンベヤ１０は、第２の育苗箱コンベヤ２０の始端側支軸２２が駆動されることにより、左右一対の無端コンベヤベルト１２，１２が終端側プーリ１５によって駆動され、載置された育苗箱２を左右一対の無端コンベヤベルト１２，１２の往路側によって下方から受け止めて搬送して第２の育苗箱コンベヤ２０に送り込む。
【００３５】
図１，２に示すように、第２の育苗箱コンベヤ２０は、育苗箱搬送方向に並ぶ前後一対のスタンド２３，２３が取り付けられたコンベヤフレーム２１と、このコンベヤフレーム２１に育苗箱搬送方向と直交する方向に所定間隔を隔てて並べて駆動回動自在に支持された左右一対の無端コンベヤベルト２４，２４とを備えて構成してある。
【００３６】
第２の育苗箱コンベヤ２０のコンベヤフレーム２１は、第２の育苗箱コンベヤ２０の育苗箱搬送方向と直交する方向での左側と右側の端部に振り分けて設けた左右一対のメインフレーム２１ａ，２１ａを備えて構成してある。第２の育苗箱コンベヤ２０の左右一対の無端コンベヤベルト２４，２４は、左右一対のメインフレーム２１ａ，２１ａの搬送始端側の端部に回転自在に支持された始端側支軸２２に一体回転自在に設けた始端側プーリ２５と、左右一対のメインフレーム２１ａ，２１ａの搬送終端側の端部に灌水装置５０よりも育苗箱搬送方向下手側に配置して回転自在に支持された駆動軸２６に一体回転自在に設けた終端側プーリ２７とに巻回されている。
【００３７】
したがって、第２の育苗箱コンベヤ２０は、駆動軸２６が駆動されることにより、左右一対の無端コンベヤベルト２４，２４が終端側プーリ２７によって駆動され、第１の育苗箱コンベヤ１０によって送り込まれた育苗箱２を、左右一対の無端コンベヤベルト２４，２４の往路側によって下方から受け止めて搬送して床土材供給装置４０に供給し、床土材供給装置４０によって床土としての籾殻くん炭が供給された後の育苗箱２を灌水装置５０に供給し、灌水装置５０によって灌漑水が供給された後の育苗箱２を第３の育苗箱コンベヤ３０に送り込む。
【００３８】
図１，２に示すように、第３の育苗箱コンベヤ３０は、育苗箱搬送方向に並ぶ前後一対のスタンド３１，３１が取り付けられたコンベヤフレーム３２と、このコンベヤフレーム３２に育苗箱搬送方向と直交する方向に所定間隔を隔てて並べて駆動回動自在に支持された左右一対の無端コンベヤベルト３３，３３とを備えて構成してある。
【００３９】
第３の育苗箱コンベヤ３０のコンベヤフレーム３２は、第３の育苗箱コンベヤ３０の育苗箱搬送方向と直交する方向での左側と右側の端部に振り分けて設けた左右一対のメインフレーム３２ａ，３２ａを備えて構成してある。第３の育苗箱コンベヤ３０の左右一対の無端コンベヤベルト３３，３３は、左右一対のメインフレーム３２ａ，３２ａの搬送始端側の端部に回転自在に支持された始端側支軸３４に一体回転自在に設けた始端側プーリ３５と、左右一対のメインフレーム３２ａ，３２ａの搬送終端側の端部に覆土材供給装置７０よりも育苗箱搬送方向下手側に配置して回転自在に支持された駆動軸３６に一体回転自在に設けた終端側プーリ３７，３７とに巻回されている。
【００４０】
したがって、第３の育苗箱コンベヤ３０は、駆動軸３６が駆動されることにより、左右一対の無端コンベヤベルト３３，３３が終端側プーリ３７によって駆動され、第２の育苗箱コンベヤ２０によって送り込まれた育苗箱２を、左右一対の無端コンベヤベルト３３，３３の往路側によって下方から受け止めて搬送して播種装置６０に供給し、播種装置６０によって種籾が供給された後の育苗箱２を覆土材供給装置７０に供給し、覆土材供給装置７０によって覆土としての籾殻くん炭が供給された後の育苗箱２を育苗箱台１に送り込む。
【００４１】
育苗箱台１は、第３の育苗箱コンベヤ３０のコンベヤフレーム３２の育苗箱搬送方向下手側の端部に一端側が連結された左右一対のメイン台枠１ａ，１ａと、育苗箱搬送方向に所定間隔を隔てて並べて左右一対のメイン台枠１ａ，１ａに連結された横桟１ｂとを備えて構成してあり、第３の育苗箱コンベヤ３０からの播種作業済みの育苗箱２を横桟１ｂによって受け止めて支持する。
【００４２】
コンベヤ装置Ｃは、第１の育苗箱コンベヤ１０の育苗箱搬送方向と直交する方向での一端側に配置して第１の育苗箱コンベヤ１０のコンベヤフレーム１１に支持させた姿勢決めガイド板３と、床土材供給装置４０の入り口の育苗箱搬送方向と直交する方向での両横側に振り分け配置して第２の育苗箱コンベヤ２０のコンベヤフレーム２１に支持させた左右一対の第１供給ガイド板４，４と、床土材供給装置１０が備える均平ブラシ４１よりも育苗箱搬送方向下手側に少し離れた箇所の育苗箱搬送方向と直交する方向での両横側に振り分けて配置して第２の育苗箱コンベヤ２０のコンベヤフレーム２１に支持させた左右一対の第２供給ガイド板５，５とを備えている。
【００４３】
コンベヤ装置Ｃは、播種装置６０の入り口の育苗箱搬送方向と直交する方向での両横側に振り分け配置して第３の育苗箱コンベヤ３０のコンベヤフレーム３２に支持させた左右一対の第３供給ガイド板６，６と、覆土材供給装置７０の入り口の育苗箱搬送方向と直交する方向での両横側に振り分け配置して第３の育苗箱コンベヤ３０のコンベヤフレーム３２に支持させた左右一対の第４供給ガイド板７，７とを備えている。
【００４４】
図３に示すように、第１の育苗箱コンベヤ１０に位置する前記姿勢決めガイド板３は、育苗箱２の短辺側に位置する側壁の外面側を姿勢決めガイド板３のコンベヤ内側に位置する作用面に突き当てた状態で育苗箱２が第１の育苗箱コンベヤ１０に載置されることにより、第１の育苗箱コンベヤ１０に載置された育苗箱２を作用面によって所定の搬送姿勢に姿勢決めする。
【００４５】
第２の育苗箱コンベヤ２０に位置する左右一対の第１供給ガイド板４，４は、第１の育苗コンベヤ１０から第２の育苗箱コンベヤ２０に送り込まれる育苗箱２に第１の育苗箱コンベヤ１０と第２の育苗箱コンベヤ２０のコンベヤフレーム１１，２１の連結などに起因した搬送姿勢乱れが発生した場合、床土材供給装置４０に送り込まれる育苗箱２の端部が第１供給ガイド板４の作用面に当接及び摺接することにより、床土材供給装置４０に送り込まれる育苗箱２を所定の搬送姿勢に姿勢修正する。
【００４６】
図２に示すように、第２の育苗箱コンベヤ２０に位置する左右一対の第２供給ガイド板５，５は、床土材供給装置４０から送り出される育苗箱２に均平ブラシ４１の作用に起因した搬送姿勢乱れが発生した場合、灌水装置５０に向けて搬送される育苗箱２の端部が第２供給ガイド板５の作用面に当接及び摺接することにより、灌水装置５０に向けて搬送される育苗箱２を所定の搬送姿勢に姿勢修正する。
【００４７】
第３の育苗箱コンベヤ３０に位置する左右一対の第３供給ガイド板６，６は、第２の育苗箱コンベヤ２０から第３の育苗箱コンベヤ３０に送り込まれる育苗箱２に第２の育苗箱コンベヤ２０と第３の育苗箱コンベヤ３０のコンベヤフレーム２１，３２の連結などに起因した搬送姿勢乱れが発生した場合、播種装置６０に送り込まれる育苗箱２の端部が第３供給ガイド板６の作用面当接及び摺接することにより、播種装置６０に送り込まれる育苗箱２を所定の搬送姿勢に姿勢修正する。
【００４８】
第３の育苗箱コンベヤ３０に位置する左右一対の第４供給ガイド板７，７は、播種装置６０から送り出された育苗箱２に無端コンベヤルベルト３３の揺れ動きなどに起因した搬送姿勢乱れが発生した場合、この育苗箱２が覆土材供給装置７０に送り込まれる際、育苗箱２の端部が第４供給ガイド板７の作用面に当接及び摺接することにより、覆土材供給装置７０に送り込まれる育苗箱２を所定の搬送姿勢に姿勢修正する。
【００４９】
姿勢決めガイド板３、第１供給ガイド板４、第２供給ガイド板５、第３供給ガイド板６及び第４供給ガイド板７は、取付けボルト孔の長孔形状を利用して、育苗箱搬送方向と直交する方向に位置調節するようになっている。第１供給ガイド板４、第２供給ガイド板５、第３供給ガイド板６及び第４供給ガイド板７は、始端部に育苗箱搬送方向に対して傾斜した状態で設けられた傾斜導入面を備えている。
【００５０】
図１に実線で示す第１の育苗箱コンベヤ１０は、下降使用状態を示し、図４（ａ）は、第１の育苗箱コンベヤ１０の下降使用状態を示す正面図である。図１に二点鎖線で示す第１の育苗箱コンベヤ１０は、上昇折り畳み状態を示し、図４（ｂ）は、第１の育苗箱コンベヤ１０の上昇折り畳み状態を示す正面図である。これらの図に示すように、第１の育苗箱コンベヤ１０は、第１の育苗箱コンベヤ１０のコンベヤフレーム１１と第２の育苗箱コンベヤ２０のコンベヤフレーム２１が連結具１１ｂ，２１ｂによって連結される軸芯Ｐまわりに第１の育苗箱コンベヤ１０のコンベヤフレーム１１が上下に揺動操作されることにより、上昇折り畳み状態と下降使用状態とに切り換わる。第１の育苗箱コンベヤ１０を上昇折り畳み状態と下降使用状態とに切り換える際、第１の育苗箱コンベヤ１０のコンベヤフレーム１１が揺動する軸芯Ｐと第１の育苗箱コンベヤ１０の左右一対の無端コンベヤベルト１２の搬送終端側が巻回する第２の育苗箱コンベヤ２０の始端側支軸２２の軸芯とが相違していることにより、図４（ｂ）に示すように、第１の育苗箱コンベヤ１０の左右一対の無端コンベヤベルト１２，１２の搬送始端側が巻回する始端側支軸１３を搬送終端側に少し移動調節し、左右一対の無端コンベヤベルト１２，１２を使用時よりも緩んだ状態に切り換える。始端側支軸１３の移動調節は、左右一対のメインフレーム１１ａ，１１ａに始端側支軸１３が貫通するよう設けた軸孔１６の長孔形状を利用して行なう。
【００５１】
図１に二点鎖線で示す育苗箱台１は、上昇折り畳み状態を示し、図１に実線で示す育苗箱台１は、下降使用状態を示す。この図に示すように、育苗箱台１は、育苗箱台１のメイン台枠１ａと第３の育苗箱コンベヤ３０のコンベヤフレーム３２を連結する軸芯まわりに上下に揺動操作されることにより、上昇折り畳み状態と下降使用状態とに切り換わる。
【００５２】
従って、播種プラントは、搬送の際、第１の育苗箱コンベヤ１０及び育苗箱台１が上昇折り畳み状態に切り換えられることにより、コンベヤ装置Ｃによる育苗箱搬送方向での大きさが使用時よりも小さくなった状態になり、コンテナに有利に収容できる。
【００５３】
第１の育苗箱コンベヤ１０は、これの左右一対の無端コンベヤベルト１２，１２の搬送始端側が巻回する始端側支軸１３と左右一対の無端コンベヤベルト１２，１２の搬送終端側が巻回する第２の育苗箱コンベヤ２０の始端側支軸２２との間に育苗箱搬送方向に所定間隔を隔てて並べて設けた複数の支持手段８０を備えている。
【００５４】
第２の育苗箱コンベヤ２０は、これの左右一対の無端コンベヤベルト２４，２４の搬送始端側が巻回する始端側支軸２２と左右一対の無端コンベヤベルト２４，２４の搬送終端側が巻回する終端側支軸としての駆動軸２６との間に育苗箱搬送方向に所定間隔を隔てて並べて設けた複数の支持手段８０を備えている。
【００５５】
第３の育苗箱コンベヤ３０は、これの左右一対の無端コンベヤベルト３３，３３の搬送始端側が巻回する始端側支軸３４と左右一対の無端コンベヤベルト３３，３３の搬送終端側が巻回する終端側支軸としての駆動軸３６との間に育苗箱搬送方向に所定間隔を隔てて並べて設けた複数の支持手段８０を備えている。
【００５６】
図５は、第１の育苗箱コンベヤ１０、第２の育苗箱コンベヤ２０及び第３の育苗箱コンベヤ３０が備える支持手段８０を示す縦断側面図である。図６は、第１の育苗箱コンベヤ１０、第２の育苗箱コンベヤ２０及び第３の育苗箱コンベヤ３０が備える支持手段８０を示す縦断正面図である。これらの図に示すように、第１の育苗箱コンベヤ１０、第２の育苗箱コンベヤ２０及び第３の育苗箱コンベヤ３０が備える支持手段８０は、育苗箱搬送方向と直交する方向に沿わせて配置して第１の育苗箱コンベヤ１０又は第２の育苗箱コンベヤ２０又は第３の育苗箱コンベヤ３０のコンベヤフレーム１１又は２１又は３２の左右一対のメインフレーム１１ａ，１１ａ又は２１ａ，２１ａ又は３２ａ，３２ａに連結ネジ８１によって固定された支軸８２と、この支軸８２の両端側に振り分けて外嵌された左右一対の円筒体８３，８３と、この左右一対の円筒体８３，８３の間に配置して支軸８２に外嵌された位置決め円筒体８４とを備えて構成してある。
【００５７】
支軸８２は、縦断面形状が円形の金属棒によって構成してある。左右一対の円筒体８３，８３及び位置決め円筒体８４は、縦断面形状が円形の樹脂管によって構成してある。
【００５８】
図５，６に示すように、左右一対の円筒体８３，８３は、この円筒体８３の内周面が支軸８２の外周面に直接に接触する状態で、かつ支軸８２の軸芯に沿う方向視で支軸８２の外周面と円筒体８３の内周面とが点接触するように円筒体８３の軸芯８３ａが支軸８２の軸芯８２ａに対して下方に偏倚している。
【００５９】
一方の円筒体８３が支軸８２に沿って位置ずれしようとすると、位置決め円筒体８４の一方の端面８４ａが一方の円筒体８３の一方の端面８３ｅに当接してストップ作用し、一方のメインフレーム１１ａが一方の円筒体８３の他方の端面８３ｅにストップ作用する。他方の円筒体８３が支軸８２に沿って位置ずれしようとすると、位置決め円筒体８４の他方の端面８４ａが他方の円筒体８３の一方の端面８３ｅに当接してストップ作用し、他方のメインフレーム１１ａが他方の円筒体８３の他方の端面８３ｅにストップ作用する。
したがって、左右一対の円筒体８３，８３は、無端コンベヤベルト１２又は２４又は３３の往路側に対する受け止め作用位置に位置決め円筒体８４とメインフレーム１１ａ又は２１ａ又は３２ａとによって位置決めされる。
【００６０】
第１の育苗箱コンベヤ１０、第２の育苗箱コンベヤ２０及び第３の育苗箱コンベヤ３０が備える支持手段８０における左右一対の円筒体８３，８３は、左右一対の無端コンベヤベルト１２，１２又は２４，２４又は３３，３３のうちの対応する側の無端コンベヤベルト１２又は２４又は３３の往路側に対する受け止め作用位置に位置決め円筒体８４によって位置決めされ、左側の円筒体８３は、左側の無端コンベヤベルト１２又は２４又は３３の往路側との接触によって付与される回動力によって支軸８２に対して回転する状態で支軸８２によって支持されながら左側の無端コンベヤベルト１２又は２４又は３３の往路側を受け止め箇所８３ｂで下方から受け止め支持し、右側の円筒体８３は、右側の無端コンベヤベルト１２又は２４又は３３の往路側との接触によって付与される回動力によって支軸８２に対して回転する状態で支軸８２によって支持されながら右側の無端コンベヤベルト１２又は２４又は３３の往路側を受け止め箇所８３ｂで下方から受け止め支持する。
【００６１】
したがって、第１の育苗箱コンベヤ１０、第２の育苗箱コンベヤ２０及び第３の育苗箱コンベヤ３０が備える支持手段８０は、左右一対の円筒体８３，８３を支軸８２によって回転自在に支持させ、左右一対の円筒体８３，８３を無端コンベヤベルト１２又は２４又は３３との接触によって回転させて円筒体８３と無端コンベヤベルト１２又は２４又は３３の間に発生する摩擦力を軽減させながら、左右一対の円筒体８３によって無端コンベヤベルト１２又は２４又は３３を下方から受け止め支持させて、無端コンベヤベルト１２又は２４又は３３が育苗箱２の荷重によって垂れ下がることを防止する。
【００６２】
各支持手段８０における左右一対の円筒体８３，８３と一つの位置決め円筒体８４とは、一本の管を分割して得た三本の等しい長さの分割管によって構成することにより、各円筒体８３を無端コンベヤベルト１２又は２４又は３３の往路側に対して受け止め作用するように支軸８２に取り付けるための各円筒体８３の仕様と、位置決め円筒体８４を左右一対の円筒体８３，８３に対して位置決め作用するように支軸８２に取り付けるための仕様とを同じに設定してある。
【００６３】
図７は、支持手段８０の一方の円筒体８３と位置決め円筒体８４とを入れ替えて支軸８２に取り付けた状態を示す縦断側面図である。この図に示すように、円筒体８３の無端コンベヤベルト１２又は２４又は３３を受け止める受け止め箇所８３ｂに摩滅が発生した場合、摩滅した円筒体８３が位置決め円筒体８４に替わって位置決め円筒体８４の取付け位置に位置し、位置決め円筒体８４が摩滅した円筒体８３に替わって円筒体８３の取り付け位置に位置するように摩滅した円筒体８３と位置決め円筒体８４を入れ替えて支軸８２に装着する。すると、位置決め円筒体８４が摩滅した円筒体８３に替わる受け止め手段となって無端コンベヤベルト１２又は２４又は３３の往路側に受け止め作用し、摩滅した円筒体８３が位置決め円筒体８４に替わる位置決め手段となって円筒体８３及び位置決め円筒体８４に対して位置決め作用し、左右一対の無端コンベヤベルト１２，１２又は２４，２４又は３３，３３の往路側の受け止めを行なわせることができる。
【００６４】
床土材供給装置４０について説明する。
【００６５】
図８は、床土材供給装置４０を示す縦断正面図である。図９は、床土材供給装置４０を示す縦断側面図である。これらの図及び図１に示すように、床土材供給装置４０は、第２の育苗箱コンベヤ２０の左右一対のメインフレーム２１ａ，２１ａに振り分けて連結された前側の壁板４２ａ及び後側の壁板４２ａを有した機体４２と、この機体４２に下部が連設されたホッパー形の床土材タンク４３と、この床土材タンク４３の底部に位置する排出口４３ｃの下方近くに第２の育苗箱コンベヤ２０の育苗箱搬送経路の上方に配置して設けた繰出しベルト４４と、繰出しベルト４４の排出側端部の育苗箱搬送方向下手側近くに設けた供給シュート４５と、供給シュート４５よりも育苗箱搬送方向下手側に設けた均平ブラシ４１とを備えて構成してある。
【００６６】
床土材タンク４３は、床土材タンク４３の上端部に上方向きに開口する状態で形成された投入口４３ｄを備え、投入口４３ｄから籾殻くん炭が投入されると、投入された籾殻くん炭を排出口４３ｃで繰出しベルト４４の往路側４４ａによって受け止めさせた状態でタンク内に貯留する。
【００６７】
床土材タンク４３は、タンク内の排出口４３ｃの上方近くに繰出しベルト４４の移動方向ｆ（図８参照）に並べて駆動回転自在に設けられた一対の攪拌回転体４６，４７を備えている。
【００６８】
一対の攪拌回転体４６，４７は、床土材タンク４３の前後の壁板４２ａに回転自在に支持された攪拌駆動軸４６ａ又は４７ａと、この攪拌駆動軸４６ａ又は４７ａの軸芯方向及び周方向に並べて攪拌駆動軸４６ａ又は４７ａに一体回転自在に取り付けられた複数本の攪拌アーム４８とを備えて構成してある。各攪拌アーム４８は、攪拌駆動軸４６ａ又は４７ａから攪拌回転体４６又は４７の半径方向に延出するアーム本体４８ａと、アーム本体４８ａの先端部から攪拌回転体４６又は４７の回転軸芯方向に沿って延びる攪拌爪４８ｂとを備えて構成してある。
【００６９】
したがって、一対の攪拌回転体４６，４７は、攪拌駆動軸４６ａ又は４７ａが回転駆動されることにより、回転方向ｒに回転駆動されて床土材タンク４３内の籾殻くん炭を攪拌アーム４８によって攪拌処理し、床土材タンク４３に貯留された籾殻くん炭が排出口４３ｃの上方にブリッジ状になって詰まることを防止する。
【００７０】
繰出しベルト４４は、床土材タンク４３の排出口４３ｃよりも少し育苗箱搬送方向上手側に配置して壁板４２ａに回転支軸９０ａを介して回転自在に支持された従動輪体９０と、床土材タンク４３の排出口４３ｃよりも少し育苗箱搬送方向下手側に配置して壁板４２ａに回転自在に支持された駆動輪体９１とに巻回されている。駆動輪体９１は、壁板４２ａに駆動回動自在に支持された繰出し駆動軸９２に一体回転自在に設けてある。
【００７１】
繰出しベルト４４は、繰出し駆動軸９２が駆動されることにより、繰出しベルト４４の排出口４３ｃに対向している往路側４４ａが移動方向ｆに移動する状態で駆動輪体９１によって回転駆動され、床土材タンク４３に貯留されている籾殻くん炭を、繰出しベルト４４の外周面側に繰出しベルト４４の全長にわたって備えている繰出し作用面４４ｂのうちの往路側４４ａに位置する部分に積んで搬送し、排出口４３ｃの育苗箱搬送方向下手側に位置するシャッター４９による摺り切り作用を受けて積み高さが設定高さになった籾殻くん炭を繰出しベルト４４の排出側から供給シュート４５に落下させる。
【００７２】
シャッター４９は、機体４２の外側に設けられた繰出し調節レバー９３（図１参照）が揺動操作されることにより、上下方向にスライド調節されて繰出しベルト４４に対する摺り切り作用位置を上下に変更し、繰出しベルト４４による籾殻くん炭の繰出し量を変更する。
【００７３】
繰出しベルト４４は、繰出し作用面４４ｂに繰出しベルト４４の長手方向に所定間隔を隔てて並べて設けられた滑り止め突部４４ｃを備えている。滑り止め突部４４ｃは、繰出しベルト４４によって床土材タンク４３から繰り出される籾殻くん炭の繰出し作用面４４ｂに対するスリップの発生を防止し、繰出しベルト４４による籾殻くん炭の繰り出しミスを防止する。各滑り止め突部４４ｃは、繰出し作用面４４ｂの全幅にわたって連続して、かつ繰出し作用面４４ｂの横幅方向に沿って一直線状に繰出し作用面４４ｂから突出する形状を備えて構成してあり、繰出しベルト４４の移動方向ｆに対して直交する方向の突条になっている。
【００７４】
供給シュート４５は、供給シュート４５の両端部に設けてある連結片部４５ａが壁板４２ａに固定されたブラケット４２ｂに連結ボルトによって締め付け連結されている。供給シュート４５は、繰出しベルト４４からの籾殻くん炭を育苗箱搬送方向下手側に飛散しないように受けて止めてから落下させる。供給シュート４５に当った籾殻くん炭は、供給シュート４５との当たりによって加えられた移動力によって育苗箱搬送方向に沿う方向及び直交する方向に移動することにより、供給シュート４５は、育苗箱２の籾殻くん炭でなる床土部の厚さを育苗箱内の全体にわたって極力均一にする。
【００７５】
均平ブラシ４１は、前側の壁板４２ａの外面側において繰出し駆動軸９２の端部から育苗箱搬送方向下手側向きに延出された支持アーム９４の延出端部と、後側の壁板４２ａの外面側において繰出し駆動軸９２の端部から育苗箱搬送方向下手側向きに延出された支持アーム９４の延出端部とに回転自在に支持された均平駆動軸４１ａと、この均平駆動軸４１ａの周方向に並べて均平駆動軸４１ａに一体回転自在に取り付けられた複数の列状ブラシ４１ｂとを備えて構成してある。
【００７６】
均平ブラシ４１は、均平駆動軸４１ａが駆動されることにより、回転方向Ｚ（図８参照）に回転駆動され、供給シュート４５の下方を通過して来た育苗箱２の内側に各列状ブラシ４１ｂの先端側を入り込ませて育苗箱２の内側の床土部を列状ブラシ４１ｂによって掻き均す。各列状ブラシ４１ｂは、均平ブラシ４１の回転軸芯方向での内側に至るほど均平ブラシ４１の回転方向下手側に位置するＶ字状の形状を備えて構成してある。
【００７７】
したがって、床土材供給装置４０は、床土材タンク４３に投入された籾殻くん炭を、繰出しベルト４４によって受け止めさせながら、一対の攪拌回転体４６，４７によって攪拌して籾殻くん炭の詰まりを防止しながら床土材タンク４３に貯留し、繰出し駆動軸９２が駆動されることにより、この繰出し駆動軸９２によって駆動輪体９１を介して繰出しベルト４４を移動方向ｆに駆動し、床土材タンク４３に貯留されている籾殻くん炭を、繰出しベルト４４の往路側４４ａによって床土材タンク４３の排出口４３ｃから繰出すとともに供給シュート４５を介して落下させることにより、第２の育苗箱コンベヤ２０によって搬送される育苗箱２に籾殻くん炭を供給して床土部を形成し、育苗箱２にできた床土部を均平ブラシ４１によって均平にする。
【００７８】
図８，９に示すように、床土材供給装置４０は、前側の壁板４２ａ及び後側の壁板４２ａの内面側から繰出しベルト４４の下方に向けて、かつ第２の育苗箱コンベヤ２０の搬送経路に向けて延出した板状のガイド体９５を備えている。各ガイド体９５は、下端側ほど第２の育苗箱コンベヤ２０の育苗箱搬送方向と直交する方向での内側に位置するように傾斜した状態のガイド面９５ａを繰出しベルト４４の排出側端部の下方と均平ブラシ４１の外周近くとの間に一連に位置する状態で備えている。
つまり、各ガイド体９５は、繰出しベルト４４及び供給シュート４５から育苗箱搬送方向と直交する方向での外側にこぼれ落ちた籾殻くん炭、及び均平ブラシ４１によって跳ね上げられた籾殻くん炭をガイド面９５ａによって受け止めて育苗箱２の内側に向けて落下するように案内し、育苗箱２の壁板部２ａ（図９参照）の上端面に籾殻くん炭が落下して堆積することを防止する。
【００７９】
図８に示すように、床土材供給装置４０は、均平ブラシ４１の外周側に設けられたスクレーパ９６を備えている。スクレーパ９６は、スクレーパ９６の両端部に設けた連結片部９６ａを介して一対の支持アーム９４，９４に支持されており、均平ブラシ４１に付着した籾殻くん炭を均平ブラシ４１から掻き落とす。
【００８０】
床土材供給装置４０は、床土材タンク４３の外側近くに設けた調節軸１０１を有したブラシ高さ調節機構１００を備え、このブラシ高さ調節機構１００によって均平ブラシ４１の高さ調節を行なうようになっている。
【００８１】
図１０，１１に示すように、ブラシ高さ調節機構１００は、前記調節軸１０１を備える他、調節軸１０１の両端部に振り分けて取り付けられた一対の当付けブロック１０２，１０２と、一対の当て付けブロック１０２，１０２に各別に受け止め作用する一対のストッパー１０３，１０３とを備えて構成してある。
【００８２】
調節軸１０１は、均平ブラシ４１を回転自在に支持する一対の支持アーム９４，９４に振り分けて連結された一対の吊下げアーム１０４，１０４の上端部に回転自在に貫通されている。
【００８３】
図１０，１２に示すように、各ストッパー１０３は、壁板４２ａの前部に固定されたブラケット１０５に設けた取付けねじ孔１０５ａに装着された上下向きのねじ軸部１０３ａと、このねじ軸部１０３ａの上端部に固定されたブロック受け部１０３ｂとを備えて構成してある。
【００８４】
つまり、各ストッパー１０３は、操作部に兼用のブロック受け部１０３ｂが回転調節されると、ねじ軸部１０３ａが回転操作されてブラケット１０５に対して昇降してブロック受け部１０３ｂがねじ軸部１０３ａと共に昇降し、ブロック受け部１０３ｂが当付けブロック１０２を調節前よりも高い配置高さに位置させて受け止め支持するように上昇調節されるか、あるいは当付けブロック１０２を調節前よりも低い配置高さに位置させて受け止め支持するように下降調節される。
【００８５】
図１２に示すように、各当付けブロック１０２は、矩形の外周形状を備えさせて構成してあり、４つの当付け辺１０２ａ〜１０２ｄを備えている。調節軸１０１は、調節軸１０１の一端部に一体回転自在に設けた操作具１０６が回転調節されることにより、操作具１０６と共に回転して一対の当付けブロック１０２，１０２を回転操作し、一対の当付けブロック１０２，１０２の４つの当付け辺１０２ａ〜１０２ｄから一つの当付け辺を選択してストッパー１０３のブロック受け部１０３ｂに当接させる。図１２に示すように、各当付けブロック１０２の４つの当付け辺１０２ａ〜１０２ｄの調節軸１０１の軸芯からの距離の長さを、４種の異なる長さに設定してあり、各当付けブロック１０２は、ストッパー１０３のブロック受け部１０３ｂに当接する当付け辺１０２ａ〜１０２ｄが変更されることにより、ストッパー１０３によって当付けブロック１０２を介して受け止め支持される調節軸１０１の配置高さを変更する。
【００８６】
したがって、ブラシ高さ調節機構１００は、操作具１０６を回転調節してストッパー１０３のブロック受け部１０３ｂに当接する当付けブロック１０２の当付け辺１０２ａ〜１０２ｄを変更する調節と、各ストッパー１０３においてブロック受け部１０３ｂを回転調節してストッパー１０３の取付け高さを変更する調節の一方あるいは両方が行なわれることにより、調節軸１０１の配置高さを変更して一対の支持アーム９４，９４を繰出し駆動軸９２の回転軸芯まわりに上下揺動させ、均平ブラシ４１の機体４２に対する取付け高さを変更して均平ブラシ４１の育苗箱２に対する作用位置を上下側に変更する。各ストッパー１０３は、ブラケット１０５に対する所定の取付け高さに蝶ナット１０８によって固定する。
【００８７】
ブラシ高さ調節機構１００は、調節軸１０１の両端部に連結されたスプリング１０７を備え、このスプリング１０７によって一対の当付けブロック１０２，１０２をストッパー１０３のブロック受け部１０３ｂに当付け付勢することによって均平ブラシ４１の浮き上がりを防止する。
【００８８】
灌水装置５０、播種装置６０及び覆土材供給装置７０について説明する。
【００８９】
図１，２に示すように、灌水装置５０は、第２の育苗箱コンベヤ２０の左右一対のメインフレーム２１ａ，２１ａに取り付けられた機体５１と、第２の育苗箱コンベヤ２０の育苗箱搬送経路の上方に配置して機体５１に連結された灌水パイプ５２とを備えて構成してある。
【００９０】
灌水装置５０は、第２の育苗箱コンベヤ２０によって搬送される床土材供給装置４０からの育苗箱２の床土部に、灌水パイプ５２にこれの軸芯方向に並べて設けてある噴出孔から灌漑水を散布する。
【００９１】
図１，２に示すように、播種装置６０は、第３の育苗箱コンベヤ３０の左右一対のメインフレーム３２ａ，３２ａに取り付けられた機体６２と、この機体６２に支持された種子タンク６１と、種子タンク６１の排出口の下方に設けられた拡散板６３とを備えて構成してある。
【００９２】
種子タンク６１は、種子タンク６１の排出口に駆動回動自在に設けられた繰出しロール６４を備えている。
【００９３】
播種装置６０は、繰出しロール６４が駆動されることにより、種子タンク６１に貯留された種籾を繰出しロール６４によって種子タンク６１から繰出して拡散板６３に落下させ、第３の育苗箱コンベヤ３０によって搬送される灌水装置５０からの育苗箱２に拡散板６３から種籾を落下させて、育苗箱２の灌漑水供給済みの床土部に種籾をばら撒き状態で供給する。
【００９４】
図１，２に示すように、覆土材供給装置７０は、第３の育苗箱コンベヤ３０の左右一対のメインフレーム３２ａ，３２ａに取り付けられた機体７２と、この機体７２に支持された覆土材タンク７１と、覆土材タンク７１の排出口の下方に設けられた拡散板７３とを備えて構成してある。
【００９５】
覆土材タンク７１は、覆土材タンク７１の排出口に駆動回動自在に設けられた繰出しロール７４、及び覆土材タンク７１の内部に排出口の上方近くに位置させて駆動回動自在に設けられた攪拌回転体７５を備えている。
【００９６】
したがって、覆土材供給装置７０は、覆土材タンク７１に投入された覆土材としての籾殻くん炭を攪拌回転体７５によって攪拌させて、籾殻くん炭が排出口の上方でブリッジ状になって詰まることを防止しながら籾殻くん炭を覆土材タンク７１に貯留し、繰出しロール７４が駆動されることにより、覆土材タンク７１に貯留された籾殻くん炭を繰出しロール７４によって覆土材タンク７１から繰出して拡散板７３に落下させ、第３の育苗箱コンベヤ３０によって搬送される播種装置６０からの育苗箱２に籾殻くん炭を落下させ、育苗箱２の種籾が供給されている床土部の上に籾殻くん炭でなる覆土部を形成する。
【００９７】
播種装置６０及び覆土材供給装置７０において、繰出しロール６４又は７４から落下した種籾又は籾殻くん炭が拡散板６３，７３に当ると、この当りによって加えられた移動力によって育苗箱搬送方向、及び育苗箱搬送方向と直交する方向に分散する。これにより、播種装置６０及び覆土材供給装置７０の拡散板６３，７３は、種籾や覆土としての籾殻くん炭を育苗箱２の床土部の全面にわたって均一に分散させる。
【００９８】
播種装置６０及び覆土材供給装置７０では、覆土材供給装置４０が備えるガイド体９５と同じガイド面を備えて構成したガイド体を繰出しロール６４又は７４の育苗箱搬送方向と直交する方向での両側の下方に設けられており、種籾や籾殻くん炭が育苗箱２の壁板部２ａの上端面に落下して堆積することをガイド体によって防止する。
【００９９】
床土材供給装置４０の床土材タンク４３、播種装置６０の種子タンク６１及び覆土材供給装置７０の覆土材タンク７１は、機体４２又は５１又は６２に連結された下部タンク４３ａ又は６１ａ又は７１ａと、下部タンク４３ａ又は６１ａ又は７１ａに脱着自在な上部タンク４３ｂ又は６１ｂ又は７１ｂを備えて構成してある。上部タンク４３ｂ又は６１ｂ又は７１ｂは、上部タンク４３ｂ又は６１ｂ又は７１ｂの下端部が下部タンク４３ａ又は６１ａ又は７１ａの上端部に挿し込まれることによって下部タンク４３ａ又は６１ａ又は７１ａに連通状態で連結する。
【０１００】
つまり、播種プラントを搬送する場合、床土材供給装置４０、播種装置６０及び覆土材供給装置７０を、上部タンク４３ｂ又は６１ｂ又は７１ｂが外れて上下高さが使用時よりも低くなったコンパクトな状態にし、かつ床土材供給装置４０、播種装置６０及び覆土材供給装置７０のうちのコンベヤ装置Ｃに連結されて残っている下側部分どうしの間に上部タンク４３ｂ又は６１ｂ又は７１ｂをコンパクトに収容することを可能にしている。
【０１０１】
コンベヤ装置Ｃ、床土材供給装置４０、播種装置６０及び覆土材供給装置７０を駆動する構造について説明する。
【０１０２】
播種プラントは、第２の育苗箱コンベヤ２０のコンベヤフレーム２１の搬送始端側の端部に設けた入力ケース１１０に支持されたモータ１１１と、第２の育苗箱コンベヤ２０のコンベヤフレーム２１の横側部と第３の育苗箱コンベヤ３０のコンベヤフレーム３２の横側部にわたって設けた伝動機構１１２とを備え、モータ１１１が出力する駆動力を伝動機構１１２によって第２及び第３の育苗箱コンベヤ２０，３０に伝達して第１、第２及び第３の育苗箱コンベヤ１０，２０，３０の無端コンベヤベルト１２，２４，３３を駆動する。
【０１０３】
モータ１１１は、電動モータによって構成してある。図１，２に示すように、モータ１１１は、床土材供給装置４０よりも育苗箱搬送方向上手側に床土材供給装置４０と第１の育苗箱コンベヤ１０の搬送終端側の端部との間に位置させて配置してある。
したがって、モータ１１１は、灌水装置５０から離れて位置するとともに床土材供給装置４０によってカバーされる状態になり、灌水装置５０が散布する灌漑水によるモータ１１１の水濡れを回避できる。また、モータ１１１は、第１の育苗箱コンベヤ１０の横側に位置して第１の育苗箱コンベヤ１０に育苗箱２を供給する作業者の近くに位置する状態となり、作業者がモータ１１１のオン・オフ操作を容易に行なうことができる。
【０１０４】
図１４は、伝動機構１１２の正面視での構造を示す線図である。図１５は、伝動機構１１２を示す平面図である。図１６は、モータ１１１が配設された部位を示す側面図である。これらの図及び図１，２に示すように、伝動機構１１２は、第２の育苗箱コンベヤ２０のメインフレーム２１ａから上方向きに延出する状態でメインフレーム２１ａに設けられた入力ケース１１０と、第２の育苗箱コンベヤ２０のメインフレーム２１ａの横外側と第３の育苗箱コンベヤ３０のメインフレーム３２ａの横外側にわたって設けられた伝動ケース１１３と、入力ケース１１０と伝動ケース１１３の伝動方向上手側端部の内側とにわたって設けられた入力チェーン１１４と、伝動ケース１１３の内側に伝動方向に並べて設けられた複数本の伝動チェーン１１５とを備えて構成してある。
【０１０５】
図１４，１５，１６に示すように、入力チェーン１１４は、モータ１１１の出力軸１１１ａに一体回転自在に設けた出力スプロケット１１１ｂと伝動ケース１１３の伝動方向上手側端部の内側に位置する入力軸１１６に一体回転自在に設けた入力スプロケット１１７とに巻回されて、モータ１１１の出力軸１１１ａを伝動ケース１１３の入力軸１１６に連動させる。入力軸１１６は、第２の育苗箱コンベヤ２０の左右一対のメインフレーム２１ａ，２１ａにわたって取り付けられており、左右一対のメインフレーム２１ａ，２１ａを連結する連結軸になっている。
【０１０６】
図１４，１５に示すように、複数本の伝動チェーン１１５のうちの一つの伝動チェーン１１５は、伝動ケース１１３の内側に伝動方向に並べた設けた複数本の中継伝動軸のうちの入力軸１１６の近くに位置する中継伝動軸１１８に一体回転自在に設けた伝動スプロケットと入力軸１１６に一体回転自在に設けた伝動スプロケット１１９に巻回され、入力軸１１６を中継伝動軸１１８に連動させる。複数本の伝動チェーン１１５のうちの一部の伝動チェーン１１５は、複数本の中継伝動軸のうちの隣り合う一対の中継伝動軸１２０，１２０に一体回転自在に設けた伝動スプロケットに巻回され、隣り合う一対の中継伝動軸１２０，１２０を連動させる。複数本の伝動チェーン１１５のうちの一つの伝動チェーン１１５は、第２の育苗箱コンベヤ２０の駆動軸２６に一体回転自在に設けたコンベヤ駆動スプロケットと、駆動軸２６の近くに位置する中継伝動軸１２１に一体回転自在に設けた出力スプロケットとに巻回されており、中継伝動軸１２１を第２の育苗箱コンベヤ２０の駆動軸２６に連動させる。複数本の伝動チェーン１１５のうちの一つの伝動チェーン１１５は、第３の育苗箱コンベヤ３０の駆動軸３６に一体回転自在に設けたコンベヤ駆動スプロケットと、駆動軸３６に近い中継伝動軸１２２に一体回転自在に設けた伝動スプロットとに巻回されており、中継伝動軸１２２を第３の育苗箱コンベヤ３０の駆動軸３６に連動させる。
【０１０７】
図２，１５に示すように、第１の育苗箱コンベヤ１０の左右一対の無端コンベヤベルト１２，１２の搬送終端側が巻回する終端側プーリ１５と、第２の育苗箱コンベヤ２０の左右一対の無端コンベヤベルト２４，２４の搬送始端側が巻回する始端側プーリ２５とが始端側支軸２２に一体回転自在に設けられており、第１の育苗箱コンベヤ１０の左右一対の無端コンベヤベルト１２，１２は、第２の育苗箱コンベヤ２０の無端コンベヤベルト２４から伝動されて駆動される。
【０１０８】
播種プラントは、モータ１１１の駆動力を前記伝動機構１１２から床土材供給装置４０に伝達して繰出しベルト４４、攪拌回転体４６，４７及び均平ブラシ４１を駆動する供給駆動機構１３０を備えている。
【０１０９】
図１７は、供給駆動機構１３０を示す正面図である。この図及び図９，１４，１５に示すように、供給駆動機構１３０は、床土材供給装置４０の伝動機構１１２が位置する側の横外側に設けた伝動チェーン１３１及び均平伝動チェーン１３２と、床土材供給装置４０の伝動機構１１２が位置する側とは反対側の横外側に設けた攪拌伝動チェーン１３３及び連動チェーン１３４とを備えて構成してある。
【０１１０】
伝動チェーン１３１は、伝動機構１１２の複数本の中継伝動軸のうちの灌水装置５０よりも育苗箱搬送方向上手側に位置し、かつモータ１１１よりも育苗箱移送方向下手側に位置した中継伝動軸１２４に一体回転自在に設けた出力スプロケット１３５と、繰出し駆動軸９２の端部に設けた入力スプロケット１３６とに巻回されている。入力スプロケット１３６は、クラッチ１４５を介して繰出し駆動軸９２に連動する。
【０１１１】
均平伝動チェーン１３２は、繰出し駆動軸９２の端部に一体回転自在に設けた出力スプロケット１３７と、均平ブラシ４１の均平駆動軸４１ａの伝動機構１１２が位置する側の端部に一体回転自在に設けた均平駆動スプロケット１３８とに巻回されている。
【０１１２】
攪拌伝動チェーン１３３は、繰出し駆動軸９２の伝動機構１１２が位置する側とは反対側の端部に一体回転自在に設けた出力スプロケット１３９と、一対の攪拌回転体４６，４７のうちの繰出し駆動軸９２に近い側の攪拌回転体４６の攪拌駆動軸４６ａの伝動機構１１２が位置する側とは反対側の端部に一体回転自在に設けた攪拌駆動スプロケット１４０とに巻回されている。連動チェーン１３４は、一対の攪拌回転体４６，４７のうちの攪拌伝動チェーン１３３が連結している側の攪拌回転体４６の攪拌駆動軸４６ａの伝動機構１１２が位置する側と反対側の端部に一体回転自在に設けた出力スプロケット１４１と、一対の攪拌回転体４６，４７のうちの攪拌伝動チェーン１３３が連結していない従動側の攪拌回転体４７の攪拌駆動軸４７ａの端部に一体回転自在に設けた入力スプロケット１４２とに巻回されている。
【０１１３】
したがって、供給駆動機構１３０は、伝動機構１１２に伝達されたモータ１１１の駆動力を、中継伝動軸１２４から伝動チェーン１３１によって繰出し駆動軸９２に伝達し、この繰出し駆動軸９２から攪拌伝動チェーン１３３によって一方の攪拌回転体４６に伝達し、この一方の攪拌回転体４６の攪拌駆動軸４６ａから連動チェーン１３４によって他方の攪拌回転体４７に伝達し、繰出し駆動軸９２から均平伝動チェーン１３２によって均平ブラシ４１に伝達し、第1、第２、第３の育苗箱コンベヤ１０，２０，３０を駆動するモー
タ１１１を駆動源として繰出しベルト４４、一対の攪拌回転体４６，４７及び均平ブラシ４１を駆動する。供給駆動機構１３０は、一対の攪拌回転体４６，４７を同じ回転方向ｒに回転するように駆動する。
【０１１４】
図１４，１５に示すように、播種装置６０は、伝動機構１１２の複数本の中継伝動軸のうちの播種装置６０の下方に位置する中継伝動軸１２５に一体回転自在に設けた出力スプロケットと繰出しロール６４の回転支軸で成る播種駆動軸６５に一体回転自在に設けた入力スプロケットとに巻回された播種駆動チェーン６６を備えており、伝動機構１１２に伝達されたモータ１１１の駆動力を、中継伝動軸１２５から播種駆動チェーン６６によって播種駆動軸６５に伝達して、繰出しロール６４を駆動する。
【０１１５】
覆土材供給装置７０では、伝動機構１１２の複数本の中継伝動軸のうちの覆土材供給装置７０の下方に位置する中継伝動軸１２２に一体回転自在に設けた出力スプロケットと繰出しロール７４の回転支軸で成る覆土駆動軸７６に一体回転自在に設けた入力スプロケットとに巻回された覆土駆動チェーン７７と、覆土駆動軸７６に一体回転自在に設けた伝動スプロケットと攪拌回転体７５の回転支軸で成る攪拌駆動軸７８に一体回転自在に設けた入力スプロケットとに攪拌伝動チェーン７９を備えている。
【０１１６】
したがって、覆土材供給装置７０では、伝動機構１１２に伝達されたモータ１１１の駆動力を、中継伝動軸１２２から覆土駆動チェーン７７によって覆土駆動軸７６に伝達し、覆土駆動軸７６から攪拌駆動チェーン７９によって攪拌駆動軸７８に伝達して、繰出しロール７４及び攪拌回転体７５を駆動する。
【０１１７】
よって、コンベヤ装置Ｃ、床土材供給装置４０、播種装置６０及び覆土材供給装置７０は、単一のモータ１１１によって駆動される。
【０１１８】
図９に示すように、床土材供給装置４０における繰出し駆動軸９２と入力スプロケット１３６とにわたってクラッチ１４５を設けてある。このクラッチ１４５は、床土材供給装置４０の横外側に位置するクラッチレバー１４６（図１参照）によって入り状態と切り状態に切り換え操作され、繰出し駆動軸９２に対する伝動を入りと切りに切り換えて繰出しベルト４４、攪拌回転体４６，４７及び均平ブラシ４１を駆動あるいは停止操作する。
【０１１９】
図１３に示すように、均平ブラシ４１を支持する各支持アーム９４は、支持アーム９４の先端部に連結ボルト１４８によって連結された軸支部材１４９を備え、この軸支部材１４９を介して均平ブラシ４１の均平駆動軸４１ａを支持している。
【０１２０】
軸支部材１４９に設けた長孔形のボルト孔１４９ａの作用によって、軸支部材１４９の支持アーム９４に対する取付け位置を支持アーム９４の延出方向に変更調節することにより、均平ブラシ４１の均平駆動軸４１ａが支持アーム９４の切り欠き孔でなる軸孔９４ａに沿って移動して、均平駆動軸４１ａと共に均平駆動スプロケット１３８が移動する。
【０１２１】
つまり、軸支部材１４９の取付け位置を変更することにより、均平駆動スプロケット１３８の取付け位置を変更して均平伝動チェーン１３２の張力調整を行なう。
【０１２２】
図９に示すように、床土材供給装置４０の機体４２は、前側の壁板４２ａの下端部及び後側の壁板４２ａの下端部の育苗箱搬送方向での両端側に設けられた連結変更機構１５０を介して第２の育苗箱コンベヤ２０のコンベヤフレーム２１に連結されている。
【０１２３】
図１８に示すように、各連結変更機構１５０は、床土材供給装置４０の壁板４２ａの下端部にコンベヤの横外側に向かう折れ曲がり部を備えさせて構成した機体側の連結板部１５１と、この連結板部１５１と第２の育苗箱コンベヤ２０のコンベヤフレーム２１におけるメインフレーム２１ａにわたって装着される連結ボルト１５２とを備えて構成してある。
【０１２４】
各連結変更機構１５０は、連結板部１５１に設けたボルト孔１５３が長孔形状を備えさせてガイド孔に構成されていることにより、床土材供給装置４０の機体４２をメインフレーム２１ａに沿わせて移動調節することで、機体４２の第２の育苗箱コンベヤ２０のコンベヤフレーム２１に対する連結位置を育苗箱搬送方向に変更できるようにしている。
【０１２５】
図９，１７に示すように、伝動機構１１２の中継伝動軸１２４から繰出し駆動軸９２に伝動する伝動チェーン１３１の伝動方向上手側が巻回する上手側輪体としての出力スプロケット１３５が、育苗箱搬送方向と直交する方向の軸芯まわりに回転自在にコンベヤフレーム側に支持されており、伝動チェーン１３１の伝動方向下手側が巻回する下手側輪体としての入力スプロケット１３６が、育苗箱搬送方向と直交する方向の軸芯まわりに回転自在に床土材供給装置４０の機体側に支持されている。
【０１２６】
したがって、床土材供給装置４０における機体４２の第２の育苗箱コンベヤ２０のコンベヤフレーム２１に対する連結位置を各連結変更機構１５０の作用によって変更することにより、床土材供給装置４０の全体が育苗箱搬送方向に移動して、伝動チェーン１３１の伝動方向下手側が巻回する入力スプロケット１３６が伝動チェーン１３１の伝動方向上手側が巻回する出力スプロケット１３５に対して各スプロケット１３５，１３６の回転軸芯と直交する方向に移動し、伝動チェーン１３１の張力調整を行なうことができる。
【０１２７】
図３，１６に示すように、モータ１１１は、入力ケース１１０と、この入力ケース１１０の内壁板１１０ａに一端部が連結されたモータ台本体１５９ａとを備えて構成されたモータ台１５９に支持されている。モータ台１５９は、入力ケース１１０の内壁板１１０ａの育苗箱搬送方向での両端側に設けたモータ台連結変更機構１５５と、モータ台本体１５９ａの入力ケース１１０側とは反対側の端部の育苗箱搬送方向での両端側に設けたモータ台連結変更機構１５５とを介して第２の育苗箱コンベヤ２０のコンベヤフレーム２１に連結されている。
【０１２８】
図１９に示すように、各モータ台連結変更機構１５５は、内壁板１１０ａ又はモータ台本体１５９ａの下端部にコンベヤの横外側に向かう折れ曲がり部を備えさせて構成したモータ台側の連結板部１５６と、この連結板部１５６と第２の育苗箱コンベヤ２０のメインフレーム２１ａにわたって装着される連結ボルト１５７とを備えて構成してある。
【０１２９】
モータ台側の連結板部１５６に設けたボルト孔１５８が、長孔形状を備えさせてガイド孔に構成されていることにより、各モータ台連結変更機構１５５は、モータ台１５９をメインフレーム２１ａに沿わせて移動させることにより、モータ台１５９の第２の育苗箱コンベヤ２０のメインフレーム２１ａに対する連結位置を育苗箱搬送方向に変更できるようにしている。
【０１３０】
図１７に示すように、モータ１１１の出力軸１１１ａから伝動ケース１１３の入力軸１１６に伝動する入力チェーン１１４の伝動方向上手側が巻回する出力スプロケット１１１ｂが、育苗箱搬送方向と直交する方向の軸芯まわりに回転自在にモータ台１５９側に支持されており、入力チェーン１１４の伝動方向下手側が巻回する入力スプロケット１１７が、育苗箱搬送方向と直交する方向の軸芯まわりに回転自在に第２の育苗箱コンベヤ２０のコンベヤフレーム２１側に支持されている。
【０１３１】
したがって、モータ台１５９のメインフレーム２１ａに対する連結位置を各モータ台連結変更機構１５５の作用によって変更することにより、モータ１１１がモータ台１５９と共に育苗箱搬送方向に移動して、入力チェーン１１４の伝動方向上手側が巻回する出力スプロケット１１１ｂが入力チェーン１１４の伝動方向下手側が巻回する入力スプロケット１１７に対して各スプロケットの回転軸芯と直交する方向に移動し、入力チェーン１１４の張力調整を行なうことができる。
【０１３２】
〔別の実施形態〕
（１）繰出しベルト４４に替え、周面に繰出し凹部が設けられた繰出しロールを備えて床土材供給装置４０を構成して実施してもよい。この場合でも、本発明の目的を達成することができる。したがって、繰出しベルト、繰出しロールを総称して繰出し回転体４４と呼称する。
（２）伝動チェーン１３１、均平伝動チェーン１３２、攪拌伝動チェーン１３３、連動チェーン１３４に替え、伝動ベルトなどの各種の巻き掛け伝動体、回転軸など各種の伝動手段を採用して実施した場合でも本発明の目的を達成することができる。したがって、伝動チェーン１３１、伝動ベルト、回転軸などを総称して伝動体１３１と呼称し、均平伝動チェーン１３２、伝動ベルト、回転軸などを総称して均平伝動体１３２と呼称し、攪拌伝動チェーン１３３、伝動ベルト、回転軸などを総称して攪拌伝動体１３３と呼称し、連動チェーン１３４、伝動ベルト、回転軸などを総称して連動連結体１３４と呼称する。
（３）均平ブラシ４１に替え、均平スクリューなど各種の回転型の均平手段を採用した場合においても、本発明の目的を達成することができる。したがって、均平ブラシ４１、均平スクリューなどを総称して均平回転体４１と総称する。
（４）床土材供給装置４０及び灌水装置５０に対する育苗箱２の供給を行なうコンベヤとして、第２の育苗箱コンベヤ２０を採用するに替え、第１の育苗箱コンベヤ１０及び第２の育苗箱コンベヤ２０それぞれが備える搬送距離を合計した搬送距離を備えるように構成した単一のコンベヤを採用した場合、あるいは第１の育苗箱コンベヤ１０、第２の育苗箱コンベヤ２０及び第３の育苗箱コンベヤ３０それぞれが備える搬送距離を合計した搬送距離を備えるように構成した単一のコンベヤを採用した場合においても本発明の目的を達成することができる。
【産業上の利用可能性】
【０１３３】
本発明は、籾殻くん炭に替え、土を床土材として採用する播種プラントにも利用できる。
【符号の説明】
【０１３４】
２          育苗箱
２０        コンベヤ
２１ａ      メインフレーム
２６，３６  駆動軸
４０        床土材供給装置
４１        均平回転体
４２        機体
４３        床土材タンク
４４        繰出し回転体
４４ｂ      繰出し回転体の作用面
４４ｃ      滑り止め突部
４６，４７  攪拌回転体
５０        灌水装置
９２        繰出し駆動軸
９４        支持アーム
１１１      モータ
１１２      伝動機構
１２４      中継伝動軸
１３１      伝動体
１３２      均平伝動体
１３３      攪拌伝動体
１３４      連動連結体
１３５      上手側輪体
１３６      下手側輪体
１５０      連結変更機構
【図１】
0005612868.tif 000002
【図２】
0005612868.tif 000003
【図３】
0005612868.tif 000004
【図４】
0005612868.tif 000005
【図５】
0005612868.tif 000006
【図６】
0005612868.tif 000007
【図７】
0005612868.tif 000008
【図８】
0005612868.tif 000009
【図９】
0005612868.tif 000010
【図１０】
0005612868.tif 000011
【図１１】
0005612868.tif 000012
【図１２】
0005612868.tif 000013
【図１３】
0005612868.tif 000014
【図１４】
0005612868.tif 000015
【図１５】
0005612868.tif 000016
【図１６】
0005612868.tif 000017
【図１７】
0005612868.tif 000018
【図１８】
0005612868.tif 000019
【図１９】
0005612868.tif 000020